(57)【要約】【課題】  装飾物を具えたサンダルのストラップの提供。【解決手段】  プラスチックのストラップ（１０）を具えた装飾物を具えたサンダルのストラップにおいて、該ストラップ（１０）が型で一体射出成形されてなり、型内部に帯状の装飾物（１２）がインサートされ、該装飾物（１２）が複数のビーズ（１３）が細線（ａ）で直列に接続されてなり、成形後のストラップ（１０）が嵌め溝（１１）を具え、該嵌め溝（１１）内に装飾物（１２）が埋め込まれたことを特徴とする。【選択図】        図２
0003105446.tif 000002
【実用新案登録請求の範囲】
【請求項１】
プラスチックのストラップ（１０）を具えた装飾物を具えたサンダルのストラップにおいて、該ストラップ（１０）が型で一体射出成形されてなり、型内部に帯状の装飾物（１２）がインサートされ、該装飾物（１２）が複数のビーズ（１３）が細線（ａ）で直列に接続されてなり、成形後のストラップ（１０）が嵌め溝（１１）を具え、該嵌め溝（１１）内に装飾物（１２）が埋め込まれたことを特徴とする、装飾物を具えたサンダルのストラップ。
【請求項２】
請求項１記載の装飾物を具えたサンダルのストラップにおいて、装飾物（１２）のビーズ（１３）とビーズ（１３）の間に間隙が設けられ、この間隙がプラスチック材で被覆され、各ビーズ（１３）が一部露出させられたことを特徴とする、装飾物を具えたサンダルのストラップ。
【請求項３】
請求項１記載の装飾物を具えたサンダルのストラップにおいて、各ビーズ（１３）が光沢表面を具えたことを特徴とする、装飾物を具えたサンダルのストラップ。
【考案の詳細な説明】
【技術分野】
【０００１】
本考案は一種のサンダルのストラップに係り、特に、一体射出成形で形成されたストラップであって、ストラップが帯状の連続する輝くビーズを具えた装飾物を具えたサンダルのストラップに関する。
【背景技術】
【０００２】
プラスチック製のサンダルは図１に示されるようであり、そのストラップの模様、形状はほとんどが射出成形により形成され、その表面の色を変更できるだけで他の装飾物を増設できず、プラスチック一体射出成形のストラップは、その表面に他の装飾模様を縫い付けることが難しく、このため合成皮革や天然皮革で形成されたストラップに較べると、明らかに単調で魅力がない。しかしその一方で、プラスチック材料で製造されたサンダルは水に濡れることを心配する必要がない長所があり、一定の市場を有しており、更にプラスチック製のサンダルは一体射出成形で製造され、その材料及び製造コストがいずれも低く、一般消費者に受け入れられやすく、このため市場のプラスチック製のサンダルの流行は不断に入れ代わり、様式も常時改変されている。
【考案の開示】
【考案が解決しようとする課題】
【０００３】
本考案の主要な目的は、一種の装飾物を具えたサンダルのストラップを提供することにあり、それは、プラスチック製のストラップを具え、該ストラップには嵌め溝が設けられ、該嵌め溝内部に帯状の装飾物が埋め込まれ、該装飾物は複数のビーズが細線で直列に接続されてなり、該装飾物が先に成形用金型内に置かれてストラップの射出成形と同時に、該装飾物が該嵌め溝内に埋め込まれ、ストラップの外観が良く、製造上、簡単、快速な長所を有するものとする。
【課題を解決するための手段】
【０００４】
請求項１の考案は、プラスチックのストラップ（１０）を具えた装飾物を具えたサンダルのストラップにおいて、該ストラップ（１０）が型で一体射出成形されてなり、型内部に帯状の装飾物（１２）がインサートされ、該装飾物（１２）が複数のビーズ（１３）が細線（ａ）で直列に接続されてなり、成形後のストラップ（１０）が嵌め溝（１１）を具え、該嵌め溝（１１）内に装飾物（１２）が埋め込まれたことを特徴とする、装飾物を具えたサンダルのストラップとしている。
請求項２の考案は、請求項１記載の装飾物を具えたサンダルのストラップにおいて、装飾物（１２）のビーズ（１３）とビーズ（１３）の間に間隙が設けられ、この間隙がプラスチック材で被覆され、各ビーズ（１３）が一部露出させられたことを特徴とする、装飾物を具えたサンダルのストラップとしている。
請求項３の考案は、請求項１記載の装飾物を具えたサンダルのストラップにおいて、各ビーズ（１３）が光沢表面を具えたことを特徴とする、装飾物を具えたサンダルのストラップとしている。
【考案の効果】
【０００５】
本考案は、一種のプラスチック製のサンダルのストラップを提供し、その表面には嵌め溝を設け、該嵌め溝に複数の光沢のあるビーズで構成した帯体を埋め込み、且つ帯体を予め成形金型内に入れて、一体射出成形により帯体をストラップに固定することで、ストラップの外観を良くし、帯体を脱落しにくくし、製造を簡単、快速として市場での競争性を具備させるようにしている。
【考案を実施するための最良の形態】
【０００６】
図２、３に示されるように、本考案の装飾物を具えたサンダルのストラップは、帯状のストラップ（１０）と帯状の装飾物（１２）を具えている。該ストラップ（１０）はＴ字形を呈し、それはプラスチック材料を一体成形してなり、図４、５に示されるように、該ストラップ（１０）の縦、横にそれぞれ嵌め溝（１１）が設けられている。該装飾物（１２）は、複数の光沢を有するビーズ（１３）が細線（ａ）で直列に接続されてなり、各ビーズ（１３）の間に間隙が保有され、製造時に該帯状の装飾物（１２）が該ストラップ（１０）を成形する金型内に入れられ、該ストラップ（１０）が一体射出成形され、並びに該装飾物（１２）が該嵌め溝（１１）内に嵌め込まれ、該装飾物（１２）の二つのビーズ（１３）間の細線（ａ）部分がプラスチック材料で被覆され、更に図２、３に示されるように、ビーズ（１３）の一部表面が露出し、全体のストラップ（１０）が光沢を有する複数のビーズ（１３）の配列を粗な背、帯状の光沢の有る装飾物（１２）がストラップ（１０）の嵌め溝（１１）中にあり、ストラップ（１０）の質感が高められて市場での競争力が高められる。特に、本考案はストラップ（１０）の一体射出成形と同時に、該装飾物（１２）がストラップ（１０）に一体に固定され、強固で脱落しにくく、且つ製造が容易とされ、製造コストを増加しない。
【０００７】
また、本考案の装飾物（１２）のビーズ（１３）は円形に限定されるわけではなく、図６のような楕円形、或いは図７のような多角形とされうる。
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【０００８】
【図１】周知のサンダルの斜視図である。
【図２】本考案の実施例の立体組合せ図である。
【図３】本考案のストラップの平面図である。
【図４】本考案の実施例の縦向き部分の断面図である。
【図５】本考案の実施例の横向き部分の断面図である。
【図６】本考案の別のビーズの実施例の断面図である。
【図７】本考案の更に別のビーズの実施例の断面図である。
【符号の説明】
【０００９】
（１０）ストラップ
（１１）嵌め溝
（１２）装飾物
（１３）ビーズ
（ａ）細線
【図１】
0003105446.tif 000003
【図２】
0003105446.tif 000004
【図３】
0003105446.tif 000005
【図４】
0003105446.tif 000006
【図５】
0003105446.tif 000007
【図６】
0003105446.tif 000008
【図７】
0003105446.tif 000009